【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
流体サンプルバッグであって、
横方向及び加工方向を有する可撓性ポリマー材料の第１のシートであって、外周領域、内向き面、及び外向き面を有する第１のシートと、
横方向及び加工方向を有する可撓性ポリマー材料の第２のシートであって、外周領域、内向き面、及び外向き面を有する第２のシートと、
可撓性ポリマー材料の前記各第１及び第２のシートの前記外周領域に位置付けられた連続シームであって、可撓性ポリマー材料の前記第１のシートの前記内向き面とポリマー材料の前記第２のシートの前記内向き面との間に隣接して配置され、前記第１及び第２のシートから得られた溶融ポリマー材料で構成される連続シームと、
前記外周領域において前記連続シームの外側に位置付けられた外側縁部と、
を備え、前記第１のシート、前記第２のシート、及び前記連続シームは、前記第１及び第２のシートの前記各内向き面の間に中空の拡張可能内部密封チャンバを画定し、前記流体サンプルバッグは１０ｐｐｍ未満のガス透過率を有する、流体サンプルバッグ。
【請求項２】
前記第１のシート及び前記第２のシートのうち少なくとも一方における前記ポリマー材料は、比重が１．９〜２．２であり、割線係数（横方向）が１０００ＭＰａ〜１４００ＭＰａであり、水蒸気透過率が０．４ｇｍｓ／ｍ2／日未満であるフッ素重合体である、請求項１に記載の流体サンプルバッグ。
【請求項３】
前記第１のシート及び前記第２のシートにおける前記ポリマー材料は、０．１ｗｔ％〜５０ｗｔ％のビニリジンフルオライド及び５０ｗｔ％〜９９．９ｗｔ％のフッ素化コモノマーを含むフッ素重合体コポリマー、又は、４０〜６０モルパーセントのエチレンをテトラフルオロエチレンもしくはクロロトリフルオロエチレンと共重合させたフッ化炭素コポリマー、又は、アルファ−オレフィン、フッ素化アルファ−オレフィン、及びフッ素化エーテルから成るクラスから選択されたエチレン性不飽和共重合性有機モノマーを最大で５％重量単位まで含有するクロロトリフルオロエチレンの半結晶コポリマーのフッ化炭素コポリマーである、請求項２に記載の流体サンプルバッグ。
【請求項４】
前記フッ素化コモノマーは前記フッ素重合体コポリマーにおいて前記コポリマーの７０ｗｔ％〜９５ｗｔ％の量で存在し、前記ビニリジンフルオライドは前記コポリマーの約５ｗｔ％〜３０ｗｔ％存在し、前記フッ素化コモノマーは、２，３，３，３−テトラフルオロプロペン、１，１，３，３，３−ペンタフルオロプロペン、２−クロロ−ペンタフルオロプロペン、ヘキサフルオロプロピレン、トリフルオロエチレン、クロロトリフルオロエチレン、３，３，３−トリフルオロ−２−トリフルオロメチルプロペン、及びそれらの混合物から成る群から選択される、請求項３に記載の流体サンプルバッグ。
【請求項５】
前記第１及び第２のシートにおける前記ポリマー材料は、５０ｗｔ％〜９９．９ｗｔ％のフルオロオレフィンポリマー及び０．１〜５０ｗｔ％のアクリルポリマーのフッ素重合体ブレンドであり、前記フッ素重合体はポリマーブレンドであり、前記ポリマーブレンドは、前記ポリマーブレンドの全重量の２０ｗｔ％〜１００ｗｔ％の量で存在する２，３，３，３−テトラフルオロ−１−プロペンを含むフルオロオレフィンポリマーと、任意選択的にそれと共重合させた少なくとも１つのコモノマーと、アクリル酸、メタクリル酸、アクリレートエステル、メタクリレートエステル、及びそれらの混合物をフルオロオレフィンコモノマーと共に含むアクリルポリマーと、を含む、請求項１に記載の流体サンプルバッグ。
【請求項６】
前記連続シームは断面本体を有し、前記断面本体は、
前記第１のシートの前記外向き面に近接した第１の外側領域と、
前記第２のシートの前記外向き面に近接し、前記第１の外側領域とは反対側の第２の外側領域と、
前記第１の外側領域と前記第２の外側領域との間に配置された中間領域と、
を含み、前記第１の外側領域に存在するポリマー材料は溶融ポリマー材料の特性を示し、前記中間領域に存在するポリマー材料は高い結晶度を示し、前記第２の外側領域は前記第２のシートにおける近接した前記ポリマー材料の前記横方向及び前記加工方向を示す、請求項２に記載の流体サンプルバッグ。
【請求項７】
前記第１及び第２のシートのうち一方に密封して搭載され、この一方のシートにおける整合させた開口を通って延出し、前記第１及び第２のシートの最も内側の非密封部分内に配置された流体流取付部品を更に備える、請求項２に記載の流体サンプルバッグ。
【請求項８】
前記第１及び第２のシートの前記最も内側の非密封部分内に配置された流体流導管を更に備え、前記流体流導管は、前記取付部品に結合されて、前記第１及び第２のシートの前記最も内側の非密封部分と前記取付部品との間で導入された流体を分配する、請求項７に記載の流体サンプルバッグ。
【請求項９】
前記流体サンプルバッグは幅Ｗを有し、前記シームは幅ＷSを有し、Ｗはある値を有し、ＷSはある値を有し、ＷsはＷの０．００１％〜１％であり、前記第１及び第２のシートの各々の厚さは１ミル〜４ミルであり、前記シームの厚さは２ミル〜１００ミルであり、前記第１のシート及び前記第２のシートのうち少なくとも一方は単層である、請求項２に記載の流体サンプルバッグ。
【請求項１０】
一定の体積の排ガスを受容、貯蔵、及び排出するための独立型の排ガスサンプル容器であって、
横方向及び加工方向を有する可撓性ポリマー材料の第１のシートであって、外周領域、内向き面、及び外向き面を有する第１のシートと、
横方向及び加工方向を有する可撓性ポリマー材料の第２のシートであって、外周領域、内向き面、及び外向き面を有する第２のシートと、
前記外周領域に位置付けられた連続シームであって、可撓性ポリマー材料の前記第１のシートの前記内向き面とポリマー材料の前記第２のシートの前記内向き面との間に隣接して配置され、前記第１及び第２のシートから得られた溶融ポリマー材料で構成される連続シームと、
前記外周領域において前記連続シームの外側に位置付けられた外側縁部と、
を備え、前記第１のシート、前記第２のシート、及び前記連続シームは、前記第１及び第２のシートの前記各内向き面の間に拡張可能な内部密封型の中空の空洞を画定し、前記流体サンプル容器は１０ｐｐｍ未満のガス透過率を有する、独立型の排ガスサンプル容器。
【請求項１１】
前記第１及び第２の対のシートのうち一方において所定の位置に形成された開口と、
前記第１又は第２のシートのうち前記一方に密封して搭載され、前記一方のシートにおける整合させた前記開口を通って延出して前記中空の空洞と流体流連通するガス流取付部品であって、前記中空の空洞へのガス流経路を形成して前記中空の空洞内に一定の体積の排ガスを貯蔵するため、及び、前記中空の空洞から前記一定の体積の排ガスを排出するための、ガス流取付部品と、
を更に備える、請求項１０に記載の独立型の排ガスサンプル容器。
【請求項１２】
前記第１及び第２の対のシートのうち一方の前記第１及び第２のシートにおいて所定の位置に形成された、整合させた開口と、
前記第１又は第２のシートのうち前記一方に密封して搭載され、前記一方のシートにおける前記整合させた開口を通って延出して前記中空の空洞と流体流連通するガス流取付部品であって、前記中空の空洞へのガス流経路を形成して前記中空の空洞内に一定の体積の排ガスを貯蔵するため、及び、前記中空の空洞から前記一定の体積の排ガスを排出するための、ガス流取付部品と、
を更に備える、請求項１０に記載の独立型の排ガスサンプル容器。
【請求項１３】
前記第１及び第２のシートの前記内向き面における前記ポリマー材料は相互に熱接着することができ、前記第１のシート及び前記及び第２のシートのうち少なくとも一方における前記ポリマー材料は、比重が１．９〜２．２であり、割線係数（横方向）が１０００ＭＰａ〜１４００ＭＰａであり、水蒸気透過率が０．４ｇｍｓ／ｍ2／日未満であるフッ素重合体である、請求項１０に記載の独立型の排ガスサンプル容器。
【請求項１４】
前記連続シームは断面本体を有し、前記断面本体は、
前記第１のシートの前記外向き面に近接した第１の外側領域と、
前記第２のシートの前記外向き面に近接し、前記第１の外側領域とは反対側の第２の外側領域と、
前記第１の外側領域と前記第２の外側領域との間に配置された中間領域と、
を含む、請求項１０に記載の独立型の排ガスサンプル容器。